(57)【要約】【課題】フラップ状の部分をどちらの方向に倒し込んだ場合にも容器を二つ折り状態に保持することができ、かつ、より小さい力でフラップ状の部分を倒し込むことのできる、万人に使いやすい包装用容器を提供する。【解決手段】包装用容器１は、底板２と天板３と底板及び天板の間に立設された右，左の立板４ａ，４ｂとを有し、底板２と天板３とを貫通する幅方向中央線上に、底板２には折り線２１を、天板３にはジッパー３１を設け、ジッパー３１を破断することで折り線２１を介して左右対称に二つ折り可能であって、底板２に、折り線２１と交差し折り線２１から離れるに従って互いに近づくように形成された一対の切込線６１ａ，６１ｂを有し、包装用容器１を折り線を介して二つ折りにし、一対の切込線に挟まれたフラップ状の部分７３を任意の一方に折り曲げることにより二つ折り状態が保持される。【選択図】図１
2008239223.tif 000002
【特許請求の範囲】
【請求項１】
底板と、天板と、該底板と天板との間に立設された左右の立板とを有し、
上記底板と上記天板とを貫通する幅方向中央線上に、上記底板には折り線を、上記天板にはジッパーを設け、
上記ジッパーを破断することで上記折り線を介して左右対称に二つ折り可能な包装用容器であって、
上記底板に、上記折り線と交差し、上記折り線から離れるに従って互いに近づくように形成された一対の切込線を備え、
上記包装用容器を上記折り線を介して二つ折りにし、上記一対の切込線に挟まれた部分を任意の一方に折り曲げることにより二つ折り状態が保持されることを特徴とする、包装用容器。
【請求項２】
前記一対の切り込み線は、前記折り線を介して線対称であることを特徴とする、請求項１に記載の包装用容器。
【請求項３】
前記一対の切り込み線は、互いに点対称な位置にそれぞれ一つの湾曲部を有することを特徴とする、請求項１に記載の包装用容器。
【請求項４】
前記切り込み線は、前記折り線を挟んだ両側であって前記折り線を介して非線対称な位置に湾曲部を有することを特徴とする、請求項１に記載の包装用容器。
【発明の詳細な説明】
【技術分野】
【０００１】
本発明は、菓子等を収容するための包装用容器に係り、特に、中央で二つ折りして使用可能な包装用容器に関する。
【背景技術】
【０００２】
従来から、菓子などを収容して販売するためのカートン、すなわち包装用容器には、ジッパーを備え、このジッパーを破断することにより容易に開封でき、包装用容器におけるジッパーと対向する壁面に設けられた折り線を境に二つ折りにして使用に供されるものが知られている。特許文献１にはそのような二つ折り式の包装用容器が開示されている。
【０００３】
また、二つ折り式の包装用容器のうち、ジッパー及び折り線が包装用容器の幅方向中央線上に位置することにより、二つ折りした際に左右の函体が同一の大きさになり、二つ折り前は側壁であった部分を底として使用し、上部が開口した函体としてテーブル上に設置してパーティー等で至便に使用できるものがある。特許文献２にはそのような左右対称タイプの二つ折り式の包装用容器が開示されている。
【０００４】
ところで、上記したような二つ折り式の包装用容器では、折り線部分において紙の復元力が働くため、常に力を加えていないと二つ折り状態を保つことができない。そのため、特許文献１及び２に開示されているように、二つ折り状態を保持するための様々な工夫がなされている。
【０００５】
特許文献１には、折り線と交わる略平行な二本の開口固定用破断線を有し、該二本の開口固定用破断線は、折り線の一方側においては平行線であり、他方においては折り線から離れるにつれて互いに離れるいわゆる末広がりとした包装用容器が開示されている。このような包装用容器１０１の開口固定用破断線部分を、図１０（Ａ）及び（Ｂ）にそれぞれ展開状態及び包装用容器を二つ折りにした状態として示す。この包装用容器１０１によれば、ジッパー（図示省略）を破断し、折り線１０２を介して包装用容器１０１を二つ折りにした後、二本の固定用破断線１０３ａ，１０３ｂに挟まれて形成されるフラップ状の部分１０４を、固定用破断線が末広がり状になっている側Ｓ１から平行になっている側Ｓ２へ押し倒すことにより、該二本の固定用破断線に挟まれた部分のうち一方側の台形状を成すフラップ状の部分１０４ａが他方側の長方形状を成す枠部分１０５ｂとの間で摩擦を生じて係止し、包装用容器１０１が二つ折りされた状態で保持される。
【０００６】
また、特許文献１及び２には、折り線と交わる略平行な二本の開口固定用破断線を有し、該二本の開口固定用破断線を、折り線の一方側においては平行線とし、他方においては折り線から離れるにつれて互いに一度離れると共に一定以上折り線から離れた部分においては再度近づく対称の円弧状とした包装用容器が開示されている。この包装用容器２０１の開口固定用破断線部分を、図１１（Ａ）及び（Ｂ）にそれぞれ展開状態及び包装用容器を二つ折りにした状態として示す。
【０００７】
上記包装用容器によれば、ジッパーを破断し、折り線２０２を介して包装用容器２０１を二つ折りにした後、二本の固定用破断線２０３ａ，２０３ｂに挟まれて形成されるフラップ状の部分２０４を、固定用破断線が円弧状になっている側Ｓ３から平行になっている側Ｓ４へ押し倒すことにより、該二本の固定用破断線に挟まれたフラップ状の部分２０４のうち固定用破断線が円弧状になっている側２０４ａの、円弧状の固定用破断線により形成される凸部２０４ｃが他方側の長方形状を成す枠部分２０５ｂを越えて係止し、該包装用容器が二つ折りされた状態で保持される。
【０００８】
【特許文献１】特開２００６−２２５００７号公報
【特許文献２】特開平０８−０２６３４２号公報
【発明の開示】
【発明が解決しようとする課題】
【０００９】
しかしながら、上記した包装用容器１０１，２０１では、包装用容器を二つ折りにした後、開口固定用破断線１０３ａ，１０３ｂ，２０３ａ，２０３ｂにより形成されるフラップ状の部分１０４，２０４を必ずある一方向に倒し込まなければ二つ折り状態を保持することができず、他の方向に倒し込んだ場合にはそのような効果を得ることができない。特に、左右対称タイプの二つ折り式の包装用容器にあっては、ユーザーがどちら側からも容器に接する可能性があるため、どちら側に倒しても同様の効果を得ることができる包装用容器が望まれていた。
【００１０】
また、上記のした包装用容器では、フラップ状の部分１０４，２０４を倒し込む際には、フラップ状の部分１０４の側縁と枠部分１０５ｂとの間で生じる摩擦力、もしくは凸部２０４ｃが他方側の長方形状を成す枠部分２０５ｂを越える際に必要な変形力に抗って倒し込まなければならず、すなわちどちらもある程度の力を要する。
【００１１】
そのため、初めてこのような包装用容器に接する者に対してはその機構を理解するための思考を要し、また力が弱い老人や子供などには使いにくい、すなわちユーザーフレンドリーの観点から必ずしも万人向けではない、という問題があった。
【００１２】
本発明は、上記問題点に鑑みてなされたものであり、フラップ状の部分をどちらの方向に倒し込んだ場合にも容器を二つ折り状態に保持することができ、かつ、より小さい力でフラップ状の部分を倒し込むことのできる、万人に使いやすい包装用容器を提供することを目的とする。
【課題を解決するための手段】
【００１３】
上記目的を達成するため、本発明の包装用容器は、底板と天板と底板及び天板の間に立設された左右の立板とを有し、底板と天板とを貫通する幅方向中央線上に、底板には折り線を、天板にはジッパーを設け、ジッパーを破断することで折り線を介して左右対称に二つ折り可能な包装用容器であって、底板に、折り線と交差し折り線から離れるに従って互いに近づくように形成された一対の切込線を有し、包装用容器を折り線を介して二つ折りにし、一対の切込線に挟まれたフラップ状の部分を任意の一方に折り曲げることにより二つ折り状態が保持されることを特徴とする。
【００１４】
前記一対の切り込み線は、互いに点対称な位置にそれぞれ一つの湾曲部を有していてもよい。
【００１５】
前記一対の切り込み線は、折り線を介して線対称であってもよい。
【００１６】
前記切り込み線は、折り線を挟んだ両側であって折り線を介して線対称とならない位置に湾曲部を有するものであってもよい。
【発明の効果】
【００１７】
本発明の包装用容器によれば、一対の切込線が折り線から離れるに従って互いに近づくように形成された一対の切込線により画成されるフラップ状の部分が折り線のどちら側に折っても枠状の部分に係止するから、フラップ状部分をどちら側から倒し込んだ場合にも包装用容器の二つ折り状態を保持することができる。
【００１８】
一対の切込線が湾曲部を有する場合、湾曲部により画成された凸部がフラップ状部分もしくは枠状部分に係止することができる。この湾曲部が互いに点対称な位置に設けられることにより、フラップ状部分をどちら側から倒し込んだ場合にも包装用容器の二つ折り状態を保持することができる。
【００１９】
切り込み線は、折り線を介して線対称であれば、一対の切込線により画成されるフラップ状の部分が折り線のどちら側に折っても切込線により画成される枠状の部分に干渉することがないから、フラップ状部分をどちら側から倒し込んだ場合にも包装用容器の二つ折り状態を保持することができる。
【００２０】
切り込み線が、折り線を挟んだ両側であって折り線を介して線対称とならない位置に一つずつ湾曲部を有する場合には、一方の湾曲部により画成された凸部が、他方の湾曲部により画成された凹部に対応することなく、すなわち直線状の枠状部分に係止することができる。
【発明を実施するための最良の形態】
【００２１】
以下、本発明の好ましい実施の形態を、添付図面を参照しながら詳細に説明する。図１乃至図５は第一実施形態の包装用容器１を示す。包装用容器１は図２に展開して示すような一枚の厚紙を折り曲げ、所定の部分において接着することにより図１及び図５に斜視図として、また図３に底面図を除く五面図として示すように形成される。
【００２２】
包装用容器１は、底板２と、平板３ａ及び手前，奥の斜板３ｂ，３ｃから成る天板３と、底板２と天板３との間に立設された左右の立板４ａ，４ｂ及び奥，手前の立板５ａ，５ｂと、を有し、底板２と天板３とを貫通する幅方向中央線上に、底板２には折り線２１を、天板３には左右のミシン目３１ａ，３１ｂとこれにより画成される菱形部分３１ｃとから成るジッパー３１を設け、図５に示すようにジッパー３１を破断し折り線２１を介して左右対称に二つ折り可能に構成されている。
【００２３】
包装用容器１は、展開状態においては図２に示すように一枚の厚紙であり、長方形の底板２と、図において底板２の左右に位置する奥立板５ａ及び内側の手前立板５ｂ’と、奥立板５ａの左に位置し、右から順に奥の斜板３ｃ、平板３ａ及び手前の斜板３ｂから成る天板３と、天板３の左に位置する外側の手前立板５ｂと、平板３ａの上下に位置する外側の右立板４ｂ及び左立板４ａと、底板２の上下に位置する、内側の右立板４ｂ’及び左立板４ａ’と、内側の右立板４ｂ’及び左立板４ａ’における奥の斜板３ｃ、平板３ａ及び手前の斜板３ｂと接する辺に配設された折り込み片４１ａ，４１ｂ，４１ｃ及び４２ａ，４２ｂ，４２ｃと、内側の手前立板５ｂ’及び奥立板５ａにおける内側の右立板４ｂ’，左立板４ａ’と接する辺に配設された折り込み片５１ａ，５１ｂ及び５２ａ，５２ｂとから成る。
【００２４】
ジッパー３１は、包装用容器１の幅方向中央線上、すなわち図２における縦方向中央に略水平に設けられる左右のミシン目３１ａ，３１ｂと、これらにより画成される菱形部分３１ｃとから構成される。左右のミシン目３１ａ，３１ｂは、右から順に奥立板５ａ、奥の斜板３ｃ、平板３ａ、手前の斜板３ｂ及び外側の手前立板５ｂに及び、互いの距離は平板３ａの中央部分において最も広く、奥，手前の立板５ａ，５ｂの図２における右，左端部において最も狭くなっており、全体として略菱形に形成されている。左右のミシン目３１ａ，３１ｂによって画成される菱形部分３１ｃは図２においてその左端に少し突き出た把手３１ｄを有し、この把手３１ｄをつまんで図１において手前側から奥側に引っ張り、ミシン目３１ａ，３１ｂを破断することにより箱を開封することができる。折り線２１は、底板２を横断するように、包装用容器１の幅方向中央線上、すなわち図２において略水平方向に設けられる。
【００２５】
内側の左立板４ａ’及び右立板４ｂ’にはそれぞれ一対のスリット４５ａ，４６ａ及び４５ｂ，４６ｂが設けられる。
【００２６】
底板２には、折り線２１と交差するように形成された左右一対の切込線６１ａ，６１ｂと、それぞれの切込線６１ａ，６１ｂの両端同士を結ぶ上下一対の折り線６２ａ，６２ｂとが設けられる。切込線６１ａ，６１ｂはそれぞれ折り線２１を挟んで対称であり、折り線２１と交差する部分において互いの距離が最も広く、それぞれの両端部において互いの距離が最も狭い。また、切込線６１ａ，６１ｂはそれぞれ折り線２１を挟んで上下に、切り込みがなされていない破断部６４ａ，６４ｂ及び６４ｃ，６４ｄが設けられている。
【００２７】
この包装用容器１を組み立てるには、底板２にそれぞれ接する内側の左右立板４ｂ’，４ａ’と、奥の立板５ａ及び内側の手前立板５ｂ’とを、底板２と接する辺において谷折りすることで垂立させ、奥，手前の立板５ａ，５ｂ’に接する折り込み片５２ａ，５２ｂ，５１ａ，５１ｂをそれぞれ奥，手前の立板５ａ，５ｂ’と接する辺において谷折りする。この際、各折り込み片の先端に設けられたフック部５３ａ，５３ｂ，５４ａ，５４ｂを、内側の左右立板４ａ’，４ｂ’に設けられたスリット４５ｂ，４５ａ，４６ｂ，４６ａにそれぞれ挿入し、係合させる。続いて、奥，手前の立板５ａ，５ｂと天板３と、及び平板３ａと手前，奥の斜板３ｂ，３ｃとの接するそれぞれの辺において谷折りし、平板３ａが底板２と平行となるようにする。この際、外側の手前立板５ｂは内側の手前立板５ｂ’に、平板３ａと手前及び奥の斜板３ｂ及び３ｃとは折り込み片４１ｂ，４２ｂと４１ｃ，４２ｃ及び４１ａ，４２ａと重なる。最後に、平板３ａと左右の立板４ａ及び４ｂとの接する辺において谷折りし、左右の立板４ａ及び４ｂを内側の左右の立板４ａ’及び４ｂ’と重なるようにする。この状態で重なっている部分をそれぞれ接着することにより、図１，３及び４に示すような包装用容器１が組み立てられる。
【００２８】
包装用容器１を図５に示すように二つ折り状態にするには、ジッパー３１の把手３１ｄをつまんで図１において手前から奥へ引っ張り、ミシン目３１ａ，３１ｂを破断させることにより菱形部３１ｃを包装用容器１から取り外す。そして、底板２の折り線２１を山折りすることにより、図５に示すように包装用容器１をその幅方向中央線の左右に二つ折りすることができる。この状態においては左右の立板４ａ及び４ｂが底として利用され、開口９１及び９２から箱内の菓子等を容易に取り出すことができる。
【００２９】
包装用容器１は、底板２の折り線２１において山折りするだけでなく、二つ折り状態をより確実に保持するために、図４（Ａ）に示すように、底板２に、先述した包装用容器１を二つ折り状態で保持するための係止機構６を備えている。係止機構６は、前述した一対の切込線６１ａ，６１ｂと、それぞれの切込線６１ａ，６１ｂの両端同士を結ぶ一対の折り線６２ａ，６２ｂと、一対の切込線６１ａ，６１ｂ及び一対の折り線６２ａ，６２ｂによって画成されるフラップ６３とから成る。フラップ６３は折り線２１を挟んで図において上半分のフラップ６３ａと下半分のフラップ６３ｂとから構成される。
【００３０】
先述した手順により包装用容器１を二つ折り状態にすると、係止機構６は図４（Ｂ）に示すように、フラップ６３が折り線２１を介して二つ折りされるため、手前側に下半分のフラップ６３ｂが、奥側に上半分のフラップ６３ａが位置する。
【００３１】
この状態でフラップ６３をつまみ、下半分のフラップ６３ｂを奥側に押し倒すと、図４（Ｃ）に示すように破断部６４ａ，６４ｂ及び６４ｃ，６４ｄが破断し、フラップ６３全体が奥側に倒れる。この際、一対の切込線６１ａ，６１ｂによってフラップ６３ａ及び６３ｂのそれぞれの左右側部にエッジ６５ａ，６５ｂ及び６６ａ，６６ｂが、また、底板２においてフラップ６３ａ及び６３ｂを破断して抜いたことにより形成される開口のそれぞれの左右側部に露呈した枠状エッジ６７ａ，６７ｂ及び６８ａ，６８ｂが形成される。
【００３２】
下半分のフラップ６３ｂと上半分のフラップ６３ａとは折り線２１を挟んで対称であることから、下半分のフラップ６３ｂの左右のエッジ６６ａ及び６６ｂは、底板２の奥側の部分において、上半分のフラップ６３ａを破断して抜いたことにより枠状に露呈したエッジ６７ａ及び６７ｂと干渉することがない。また、折り線６２ａ，６２ｂが設けられていることから、フラップ６３は破断部６４ａ，６４ｂ及び６４ｃ，６４ｄが破断する程度の小さな力を加えるだけで押し倒すことができる。
【００３３】
フラップ６３を底板２に対して９０°程度倒すと、折り線６２ａ，６２ｂは紙の復元力が強く働かない程度に折れるから、フラップ６３は倒れた状態で保持される。ここで、包装用容器１の二つ折りを解除する、すなわち底板２の折り線２１における山折りを復元する力が加わると、下半分のフラップ６３ｂの左右のエッジ６６ａ及び６６ｂは、底板２の奥側の枠状のエッジ６７ａ及び６７ｂに当接する。すなわち、フラップ６３が底板２に対して９０°倒れている状態で、下半分のフラップ６３ｂの左右のエッジ６６ａ及び６６ｂは、それぞれ底板２の奥側の部分のエッジ６７ａ及び６７ｂに対しそれぞれ９０°の角度を有し、底板２の折り線２１における山折りを復元する力が加わると、フラップ６３ｂには折り線６２ｂを介して手前に引く力が加わり、フラップ６３の板面方向手前に移動しようとする。すると、フラップ６３は図４（ｃ）において手前の折り線６２ｂ部分より奥の折り線２１の方が幅広になっているため、下半分のフラップ６３ｂの左右のエッジ６６ａ及び６６ｂが底板２の奥側の枠状のエッジ６７ａ及び６７ｂに引っかかる。
【００３４】
以上の作用によりフラップ６３が枠状のエッジ６７ａ及び６７ｂに引っかかると、フラップ６３は図４（Ｃ）においてそれ以上手前に移動することができないから、包装用容器１の二つ折り状態が保持される。なお、本例ではフラップ６３を図４（Ｃ）において奥側に倒す場合の作用について説明したが、係止機構６は折り線２１を介して対称に形成されているから、フラップ６３を手前に引き倒した場合にも全く同様の作用及び効果を得ることができる。
【００３５】
以上のように、本実施形態の係止機構６を備えた包装用容器１によれば、容易に二つ折り状態を保持することができるが、その効果は、折り線６２ａ，６２ｂと折り線２１との成す角度によって変化する。そこで、図７に示すように、折り線６２ａ，６２ｂと折り線２１との成す角度θを様々に変化させ、二つ折り状態を保持する効果についての実験を行った。図においてθの値をそれぞれ、（Ａ）は１３０°、（Ｂ）は１２５°、（Ｃ）は１２０°、（Ｄ）は１１５°、（Ｅ）は１１０°、（Ｆ）は１０５°、（Ｇ）は１００°に設定した。
【００３６】
一般に、底板を二つ折りした状態でフラップを押し倒し、もしくはこれを戻すのに要する力は、フラップの左右のエッジと底板の枠状エッジとの摩擦の影響を受けるところ、θが９０°に近いほど、フラップを傾けた状態でのフラップの左右のエッジと底板の枠状エッジとの接する面積が広くなるため、摩擦が強くなる。
【００３７】
そのため、（Ａ）に示すようにθが１３０°の場合は、底板を二つ折りした状態でフラップを押し倒しても、この状態でフラップの左右のエッジと底板の枠状エッジとの接する面積が小さく、紙の復元力が摩擦力に勝るため、フラップが戻ってしまう。
【００３８】
一方、上述したように、フラップ６３は折り線６２ｂ部分より折り線２１部分の方が幅広になっていることにより、下半分のフラップ６３ｂの左右のエッジ６６ａ及び６６ｂが底板２の奥側の枠状のエッジ６７ａ及び６７ｂに引っかかるところ、この折り線６２ｂ部分と折り線２１部分との幅の差はθが９０°に近づくほど小さくなり、小さな力で引っ掛かりが解消してしまう。なお、θが９０°未満の場合には折り線６２ｂ部分より折り線２１部分の方が幅狭になり、上記作用が生じない。
【００３９】
そのため、Ｇに示すようにθが１００°の場合は、小さな力で係止機構６による引っ掛かりが解消してしまった。
【００４０】
θを上記のように様々に設定し、二つ折り状態を保持する効果について検証したところ、（Ｅ）に示すようにθが１１０°の場合に上述した摩擦力と引っ掛かり力の双方が現れ、最も強く二つ折り状態を保持することができた。
【００４１】
以上のように、第一実施形態の包装用容器１によれば、フラップ状の部分をどちらの方向に倒し込んだ場合にも容器を二つ折り状態に保持することができ、特にθを１１０°に設定した場合にその効果が最も強い。
【００４２】
図７は第二実施形態の包装用容器１１を示す。包装用容器１１は係止機構７を備える点で包装用容器１と相違する。その他の点については包装用容器１と同様であるから、適宜同一の符号を付し、説明を省略する。また、斜視図及び底面図を除く五面図については図１及び図３に示す包装用容器１と同一であるから、省略する。
【００４３】
包装用容器１１は二つ折り状態をより確実に保持するために、図７（Ａ）に示すように、底板２に係止機構７を有することを特徴とする。以下、この点につき詳述する。
【００４４】
包装用容器１１の底板２には、折り線２１と交差するように形成された一対の切込線７１ａ，７１ｂと、それぞれの切込線７１ａ，７１ｂの両端同士を結ぶ一対の折り線７２ａ，７２ｂとが設けられる。切込線７１ａ，７１ｂはそれぞれ折り線２１を挟んで後述する湾曲部７１ｃ，７１ｄを除いて対称であり、互いの距離は折り線２１と交差する部分において最も広く、それぞれの両端部において最も狭い。
【００４５】
係止機構７は、一対の切込線７１ａ，７１ｂと、一対の折り線７２ａ，７２ｂと、一対の切込線７１ａ，７１ｂ及び一対の折り線７２ａ，７２ｂによって画成されるフラップ７３とから成る。フラップ７３は折り線２１を挟んで図７（Ａ）において上半分のフラップ７３ａと下半分のフラップ７３ｂとから構成される。切込線７１ａは折り線７２ｂ付近に、切込線７１ｂは折り線７２ａ付近に、それぞれフラップ７３の内側方向へ食い込んだ湾曲部７１ｃ，７１ｄを備える。これら湾曲部７１ｃ，７１ｄは、フラップ７３の中心点を介して対称に設けられる。また、切込線７１ａ，７１ｂにはそれぞれ折り線２１を挟んで両側に、切り込みがなされていない破断部７４ａ，７４ｂ及び７４ｃ，７４ｄが設けられている。
【００４６】
先述した手順により包装用容器１１を二つ折り状態にすると、係止機構７は図７（Ｂ）に示すように、フラップ７３が折り線２１を介して二つ折りされるため、手前側に下半分のフラップ７３ｂが、奥側に上半分のフラップ７３ａが位置する。
【００４７】
この状態でフラップ７３をつまみ、下半分のフラップ７３ｂを奥側に押すと、図７（Ｃ）に示すように、破断部７４ａ，７４ｂ及び７４ｃ，７４ｄが破断し、フラップ７３全体が奥側に倒れる。この際、一対の切込線７１ａ，７１ｂによってフラップ７３ａ及び７３ｂのそれぞれの左右側部にエッジ７５ａ，７５ｂ及び７６ａ，７６ｂが、また、底板２においてフラップ７３ａ及び７３ｂを破断して抜いたことにより形成される開口のそれぞれの左右側部に露呈した枠状エッジ７７ａ，７７ｂ及び７８ａ，７８ｂが、形成される。また、枠状エッジ７７ａ上には湾曲部７１ｃによって凸部７９ａが、凸部枠状エッジ７８ｂ上には湾曲部７１ｄによって凸部７９ｂが、それぞれ形成される。
【００４８】
上述の押し倒し動作において、下半分のフラップ７３ｂを奥側に押す際には、下半分のフラップ７３ｂの右のエッジ７６ｂが、凸部７９ｂに圧接する。さらに少しの力を加えてフラップ７３ｂを奥側に押すと、右のエッジ７６ｂと凸部７９ｂとが歪み、図７（Ｃ）に示すように、右のエッジ７６ｂが凸部７９ｂを乗り越える。
【００４９】
下半分のフラップ７３ｂと上半分のフラップ７３ａとは折り線２１を挟んで湾曲部７１ｃ，７１ｄを除いて対称であることから、下半分のフラップ７３ｂの左右のエッジ７６ａ及び７６ｂは、底板２の奥側の部分において上半分のフラップ７３ａを破断して抜いたことにより枠状に露呈したエッジ７７ａ及び７７ｂと、凸部７９ｂを除いて干渉することがない。また、折り線７２ａ，７２ｂが設けられていることから、フラップ７３は破断部７４ａ，７４ｂ及び７４ｃ，７４ｄが破断する程度の小さな力を加えるだけで押し倒すことができる。
【００５０】
フラップ７３を底板２に対して９０°程度倒すと、折り線７２ａ，７２ｂが紙の復元力が強く働かない程度に折れ、フラップ７３が元の位置に戻ろうとしても右のエッジ７６ｂが凸部７９ｂを手前側に乗り越えることができないから、フラップ７３は倒れた状態で保持される。
【００５１】
ここで、包装用容器１１の二つ折りを解除する、すなわち底板２の折り線２１における山折りを復元する力が加わると、下半分のフラップ７３ｂの左右のエッジ７６ａ及び７６ｂは、底板２の奥側の枠状のエッジ７７ａ及び７７ｂに当接する。すなわち、フラップ７３が底板２に対して９０°倒れている状態で、下半分のフラップ７３ｂの左右のエッジ７６ａ及び７６ｂは、それぞれ底板２の奥側の部分のエッジ７７ａ及び７７ｂに対しそれぞれ９０°の角度を有し、底板２の折り線２１における山折りを復元する力が加わると、フラップ７３には折り線７２ｂを介して手前に引く力が加わり、フラップ７３の板面方向手前に移動しようとする。すると、フラップ７３は図において手前の折り線７２ｂ部分より奥の折り線２１部分の方が幅広になっているため、下半分のフラップ７３ｂの左右のエッジ７６ａ及び７６ｂが底板２の奥側の枠状のエッジ７７ａ及び７７ｂに引っかかる。
【００５２】
以上の作用によりフラップ７３が枠状のエッジ７７ａ及び７７ｂに引っかかると、フラップ７３は図７（Ｃ）においてそれ以上手前に移動することができないから、包装用容器１の二つ折り状態が保持される。なお、本例ではフラップ７３を図７（Ｃ）において奥側に倒す場合の作用について説明したが、係止機構７は展開状態においてその中心に対し点対称に形成されているから、フラップ７３を手前に引き倒した場合にも全く同様の作用及び効果を得ることができる。また、各湾曲部７１ｃ，７１ｄがそれぞれ切込線７１ａにおける折り線７２ａ付近、及び切込線７１ｂにおける折り線７２ｂ付近に備えられた場合であっても全く同様の作用及び効果を得ることができる。
【００５３】
図８は第三実施形態の包装用容器１２を示す。包装用容器１２は係止機構８を備える点で包装用容器１と相違する。その他の点については包装用容器１と同様であるから、適宜同一の符号を付し、説明を省略する。また、斜視図及び底面図を除く五面図については図１及び図３に示す包装用容器１と同一であるから、省略する。
【００５４】
包装用容器１２は二つ折り状態をより確実に保持するために、図８（Ａ）に示すように、底板２に係止機構８を有することを特徴とする。以下、この点につき詳述する。
【００５５】
包装用容器１２の底板２には、折り線２１と交差するように形成された一対の切込線８１ａ，８１ｂと、それぞれの切込線８１ａ，８１ｂの両端同士を結ぶ一対の折り線８２ａ，８２ｂとが設けられる。切込線８１ａ，８１ｂはそれぞれ折り線２１を挟んで後述する湾曲部８１ｃ，８１ｄ，８１ｅ，８１ｆを除いて対称であり、互いの距離は折り線２１と交差する部分において最も広く、それぞれの両端部において最も狭い。
【００５６】
係止機構８は、一対の切込線８１ａ，８１ｂと、一対の折り線８２ａ，８２ｂと、一対の切込線８１ａ，８１ｂ及び一対の折り線８２ａ，８２ｂによって画成されるフラップ８３とから成る。フラップ８３は折り線２１を挟んで図８（Ａ）において上半分のフラップ８３ａと下半分のフラップ８３ｂとから構成される。切込線８１ａ及び８１ｂは折り線８２ａ及び折り線８２ｂ付近に、それぞれフラップ８３の内側方向へ食い込んだ湾曲部８１ｃ，８１ｄ及び８１ｅ，８１ｆを備える。これら湾曲部８１ｃ，８１ｄと８１ｅ，８１ｆとはフラップ８３における縦方向中心線８３ｃを介して対称であるが、折り線２１を介して非対称である。また、切込線８１ａ，８１ｂにはそれぞれ折り線２１を挟んで両側に、切り込みがなされていない破断部８４ａ，８４ｂ及び８４ｃ，８４ｄが設けられている。
【００５７】
先述した手順により包装用容器１２を二つ折り状態にすると、係止機構８は図８（Ｂ）に示すように、フラップ８３が折り線２１を介して二つ折りされるため、手前側に下半分のフラップ８３ｂが、奥側に上半分のフラップ８３ａが位置する。この際、湾曲部８１ｃ，８１ｅと８１ｄ，８１ｆとは重ならない。
【００５８】
この状態でフラップ８３をつまみ、下半分のフラップ８３ｂを奥側に押すと、図８（Ｃ）に示すように、破断部８４ａ，８４ｂ及び８４ｃ，８４ｄが破断し、フラップ８３全体が奥側に倒れる。この際、一対の切込線８１ａ，８１ｂによってフラップ８３ａ及び８３ｂのそれぞれの左右側部にエッジ８５ａ，８５ｂ及び８６ａ，８６ｂが、また、底板２においてフラップ８３ａ及び８３ｂを破断して抜いたことにより形成される開口のそれぞれの左右側部に露呈した枠状エッジ８７ａ，８７ｂ及び８８ａ，８８ｂが、形成される。また、枠状エッジ８６ａ上には湾曲部８１ｃ，８１ｄによって凸部８９ａ，８９ｂが、枠状エッジ８６ｂ上には湾曲部８１ｅ，８１ｆによって凸部８９ｃ，８９ｄが、それぞれ形成される。この際、凸部８９ａ，８９ｃと凸部８９ｂ，８９ｄとは重ならない。
【００５９】
上述の押し倒し動作において、下半分のフラップ８３ｂを奥側に押す際には、下半分のフラップ８３ｂの左右のエッジ８６ａ，８６ｂが、凸部８９ａ，８９ｃに圧接する。さらに少しの力を加えてフラップ８３ｂを奥側に押すと、左右のエッジ８６ａ，８６ｂと凸部８９ａ，８９ｃとが歪み、図８（Ｃ）に示すように、左右のエッジ８６ａ，８６ｂが凸部８９ａ，８９ｃを乗り越える。
【００６０】
下半分のフラップ８３ｂと上半分のフラップ８３ａとは折り線２１を挟んで湾曲部８１ｃ，８１ｄ，８１ｅ，８１ｆを除いて対称であることから、下半分のフラップ８３ｂの左右のエッジ８６ａ及び８６ｂは、底板２の奥側の部分において、上半分のフラップ８３ａを破断して抜いたことにより枠状に露呈したエッジ８７ａ及び８７ｂと凸部８９ａ，８９ｃを除いて干渉することがない。また、折り線８２ａ，８２ｂが設けられていることから、フラップ８３は破断部８４ａ，８４ｂ及び８４ｃ，８４ｄが破断する程度の小さな力を加えるだけで押し倒すことができる。
【００６１】
フラップ８３を底板２に対して９０°程度倒すと、折り線８２ａ，８２ｂが紙の復元力が強く働かない程度に折れ、フラップ８３が元の位置に戻ろうとしても左右のエッジ８６ａ及び８６ｂが凸部８９ａ，８９ｃを手前側に乗り越えることができないから、フラップ８３は倒れた状態で保持される。
【００６２】
ここで、包装用容器１２の二つ折りを解除する、すなわち底板２の折り線２１における山折りを復元する力が加わると、下半分のフラップ８３ｂの左右のエッジ８６ａ及び８６ｂは、底板２の奥側の枠状のエッジ８７ａ及び８７ｂに当接する。すなわち、フラップ８３が底板２に対して９０°倒れている状態で、下半分のフラップ８３ｂの左右のエッジ８６ａ及び８６ｂは、それぞれ底板２の奥側の部分のエッジ８７ａ及び８７ｂに対しそれぞれ９０°の角度を有し、底板２の折り線２１における山折りを復元する力が加わると、フラップ８３には折り線８２ｂを介して手前に引く力が加わり、フラップ８３の板面方向手前に移動しようとする。すると、フラップ８３は図において手前の折り線８２ｂ部分より奥の折り線２１部分の方が幅広になっているため、下半分のフラップ８３ｂの左右のエッジ８６ａ及び８６ｂが底板２の奥側の枠状のエッジ８７ａ及び８７ｂに引っかかる。
【００６３】
以上の作用によりフラップ８３が枠状のエッジ８７ａ及び８７ｂに引っかかると、フラップ８３は図８（Ｃ）においてそれ以上手前に移動することができないから、包装用容器１の二つ折り状態が保持される。なお、本例ではフラップ８３を図８（Ｃ）において奥側に倒す場合の作用について説明したが、フラップ８３を手前に引き倒した場合にも全く同様の作用及び効果を得ることができる。また、各湾曲部８１ｃ，８１ｄ及び８１ｅ，８１ｆがそれぞれ切込線８１ａ，８１ｂにおける折り線２１付近及び８２ｂ付近に備えられた場合であっても全く同様の作用及び効果を得ることができる。
【００６４】
以上説明したように、本発明の包装用容器は、フラップ部分を任意の方向に押し倒すことにより二つ折り状態を保持することができるよう構成されたものであって、その主旨を逸脱しない範囲において材質、形状等に様々な変更又は変形を加えた形態で実施することができる。例えば、天板の形状は図９（Ａ）に示す立方体状の天板３５ａ、図９（Ｂ）に示す蒲鉾状の天板３５ｂ、図９（Ｃ）に示す三角屋根状の天板３５ｃであってもよい。また、第三の実施形態における湾曲部８１ｃ，８１ｄ，８１ｅ，８１ｆは右，左の切込線８１ａ，８１ｂのいずれかのみに設けられていてもよい。
【産業上の利用可能性】
【００６５】
本発明の包装用容器は、菓子のみでなく、アイスクリーム、紙ナプキン等、様々なものを収納し、また二つ折り状態で使用するための箱に使用することができる。
【図面の簡単な説明】
【００６６】
【図１】第一実施形態の包装用容器を示す斜視図である。
【図２】図１の包装用容器を示す展開図である。
【図３】図１の包装用容器を示す底面図を除く五面図であり、（Ａ）は正面図、（Ｂ）は平面図、（Ｃ）は背面図、（Ｄ）は左側面図、（Ｅ）は右側面図である。
【図４】図１の包装用容器における係止機構を示し、（Ａ）は底面図で、係止機構を実線で他を二点鎖線で示す。（Ｂ）は包装用容器を二つ折りにした状態を示す正面図、（Ｃ）はフラップを奥側に倒し込んだ状態を示す斜視図である。
【図５】図１の包装用容器を二つ折りした状態を示す斜視図である。
【図６】図１の包装用容器において、フラップの左右のエッジと折り線との成す角度を様々に変化させた場合の係止機構を示す。
【図７】第二実施形態の包装用容器を示し、（Ａ）は底面図で、係止機構を実線で他を二点鎖線で示す。（Ｂ）は包装用容器を二つ折りにした状態を示す正面図、（Ｃ）はフラップを奥側に倒し込んだ状態を示す斜視図である。
【図８】第三実施形態の包装用容器を示し、（Ａ）は底面図で、係止機構を実線で他を二点鎖線で示す。（Ｂ）は包装用容器を二つ折りにした状態を示す正面図、（Ｃ）はフラップを奥側に倒し込んだ状態を示す斜視図である。
【図９】他の実施形態の包装用容器を示す斜視図であり、（Ａ）は立方体状の天板、（Ｂ）は蒲鉾状の天板、（Ｃ）は三角屋根状の天板を有する包装用容器を示す。
【図１０】第一の従来例の開口固定用破断線部分を示し、（Ａ）は展開状態、（Ｂ）は包装用容器を二つ折りにした状態を示す。
【図１１】第二の従来例の開口固定用破断線部分を示し、（Ａ）は展開状態、（Ｂ）は包装用容器を二つ折りにした状態を示す。
【符号の説明】
【００６７】
１，１１，１２  包装用容器
２  底板
３  天板
３ａ  平板
３ｂ，３ｃ  斜板
４ａ，４ｂ  右，左の立板
４ａ’，４ｂ’  内側の右，左の立板
５ａ，５ｂ  奥，手前の立板
５ｂ’  内側の手前立板
６，７，８  係止機構
２１  折り線
３１  ジッパー
３１ａ，３１ｂ  右，左のミシン目
３１ｃ  菱形部分
３５ａ，３５ｂ，３５ｃ  天板
４１ａ，４１ｂ，４１ｃ，４２ａ，４２ｂ，４２ｃ，５１ａ，５１ｂ，５２ａ，５２ｂ  折り込み片
４５ｂ’，４６ｂ’，４５ａ’，４６ａ’  スリット
５３ａ，５３ｂ，５４ａ，５４ｂ  フック部
６１ａ，６１ｂ，７１ａ，７１ｂ，８１ａ，８１ｂ  切込線
６２ａ，６２ｂ，７２ａ，７２ｂ，８２ａ，８２ｂ  折り線
６３，７３，８３  フラップ
６３ａ，７３ａ，８３ａ  上半分のフラップ
６３ｂ，７３ｂ，８３ｂ  下半分のフラップ
６４ａ，６４ｂ，６４ｃ，６４ｄ，７４ａ，７４ｂ，７４ｃ，７４ｄ，８４ａ，８４ｂ，８４ｃ，８４ｄ  破断部
６５ａ，６５ｂ，６６ａ，６６ｂ，７５ａ，７５ｂ，７６ａ，７６ｂ，８５ａ，８５ｂ，８６ａ，８６ｂ  エッジ
６７ａ，６７ｂ，６８ａ，６８ｂ，７７ａ，７７ｂ，７８ａ，７８ｂ，８７ａ，８７ｂ，８８ａ，８８ｂ  枠状エッジ
７１ｃ，７１ｄ，８１ｃ，８１ｄ，８１ｅ，８１ｆ  湾曲部
７９ａ，７９ｂ，８９ａ，８９ｂ，８９ｃ，８９ｄ  凸部
８３ｃ  縦方向中心線
９１，９２  開口
１０１，２０１  包装用容器
１０３ａ，１０３ｂ，２０３ａ，２０３ｂ  開口固定用破断線
１０４，２０４  フラップ状部分
１０５ｂ，２０５ｂ  枠部分
２０４ａ，２０４ａ  凸部
【図１】
2008239223.tif 000003
【図２】
2008239223.tif 000004
【図３】
2008239223.tif 000005
【図４】
2008239223.tif 000006
【図５】
2008239223.tif 000007
【図６】
2008239223.tif 000008
【図７】
2008239223.tif 000009
【図８】
2008239223.tif 000010
【図９】
2008239223.tif 000011
【図１０】
2008239223.tif 000012
【図１１】
2008239223.tif 000013